【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
画像形成動作を実行可能な画像形成装置において、
装置本体と、
静電潜像が形成される回転可能な像担持体と、回転状態にある前記像担持体の表面に当接することで前記像担持体の表面からトナーを除去する当接部材と、で構成される像担持体ユニットと、
前記像担持体の表面にトナーを供給して前記静電潜像をトナー像として現像する現像ユニットと、
前記画像形成動作と、前記現像ユニットから前記像担持体の表面に前記トナーを供給し、前記当接部材と前記像担持体の表面との間に前記トナーを供給するトナー供給動作と、を実行可能に制御する制御部と、を備え、
前記像担持体ユニットと前記現像ユニットのそれぞれが独立して前記装置本体に対して着脱可能であり、
前記像担持体ユニットは第一メモリを有し、前記第一メモリには、前記像担持体の駆動量に応じた前記トナー供給動作において供給するトナー量に係る第一の情報が保持され、
前記現像ユニットは第二メモリを有し、前記第二メモリには、前記現像ユニットの使用量に応じた前記トナー供給動作において供給する前記トナー量に係る第二の情報が保持され、
前記制御部は、前記第一の情報と、前記第二の情報とに基づいて、前記トナー量を制御することを特徴とする画像形成装置。
【請求項２】
前記制御部は、前記第一の情報と、前記第二の情報とに基づいて演算することによって前記トナー量を算出することを特徴とする請求項１に記載の画像形成装置。
【請求項３】
前記像担持体の駆動量は、前記像担持体の回転数もしくは前記像担持体の回転時間であることを特徴とする請求項１又は２に記載の画像形成装置。
【請求項４】
前記像担持体の駆動量は、印刷面数もしくは前記像担持体を駆動するモータの通電時間から算出される量であることを特徴とする請求項１又は２に記載の画像形成装置。
【請求項５】
前記現像ユニットの使用量は、前記現像ユニットに設けられた現像ローラの回転数とト
ナー使用量との関係で決定されることを特徴とする請求項１乃至４のいずれか１項に記載の画像形成装置。
【請求項６】
温度を検知する環境検知手段を備え、
前記制御部は、前記環境検知手段の検知結果と、前記第一の情報と、前記第二の情報とに基づいて、前記トナー量を制御することを特徴とする請求項１乃至５のいずれか１項に記載の画像形成装置。
【請求項７】
前記第一の情報は、前記像担持体ユニットに使用されるクリーニングブレードの特性に応じて定められていることを特徴とする請求項１乃至６のいずれか１項に記載の画像形成装置。
【請求項８】
前記第二の情報は、前記現像ユニットに使用される前記トナーの特性に応じて定められていることを特徴とする請求項１乃至７のいずれかの１項に記載の画像形成装置。
【請求項９】
前記制御部は、前記トナー供給動作を、前記画像形成動作を行わない期間のうち、単数または複数の記録材に前記画像形成動作を実行し出力するジョブのすべての前記画像形成動作が終了した後の後回転工程時に実行するように制御することを特徴とする請求項１乃至８のいずれか１項に記載の画像形成装置。
【請求項１０】
前記第一メモリには、前記第一の情報が格納された第一算出テーブルを有し、
前記第二メモリには、前記第二の情報が格納された第二算出テーブルを有することを特徴とする請求項１乃至９のいずれか１項に記載の画像形成装置。
【請求項１１】
前記第一算出テーブルには、前記第二算出テーブルに格納された前記第二の情報の値に重みづけを行った乗率が格納されており、
前記制御部は、前記第一算出テーブルに格納された前記第一の情報に係数を掛けて前記トナー量を演算することを特徴とする請求項１０に記載の画像形成装置。
【請求項１２】
前記制御部は、前記第一算出テーブルを参照して前記第一の情報を基に算出された前記トナー供給動作において供給する第一トナー供給量と、前記第二算出テーブルを参照して前記第二の情報を基に算出された前記トナー供給動作において供給する第二トナー供給量と、に基づいて算出された前記トナー量を用いて前記トナー供給動作を制御することを特徴とする請求項１０に記載の画像形成装置。
【請求項１３】
前記第一算出テーブル及び前記第二算出テーブルの少なくともいずれか一方にマイナスの値が入っていることを特徴とする請求項１２に記載の画像形成装置。
【請求項１４】
第三メモリを有し、
前記第三メモリには、所定値の前記トナー量の値が記憶されており、
前記第一算出テーブルには、前記第一の情報として、前記所定値のトナー量に対して乗算する値が格納され、
前記第二算出テーブルには、前記第二の情報として、前記所定値のトナー量に対して乗算する値が格納されていることを特徴とする請求項１０に記載の画像形成装置。
【請求項１５】
前記第一算出テーブルには、前記第一の情報として第一のアドレス値を持たせ、
前記第二算出テーブルには、前記第二の情報として第二のアドレス値を持たせておき、
前記第三メモリは、前記第一のアドレス値及び前記第二のアドレス値に対して、前記所定値のトナー量を指定可能なテーブルを有していることを特徴とする請求項１４に記載の画像形成装置。
【請求項１６】
前記トナー供給動作を第一トナー供給動作とした場合に、
前記第一トナー供給動作における第一トナー量よりも多い第二トナー量の第二トナー供給動作の為のカウントを行うカウント手段と、前記カウント手段によるカウント値を記憶する第四メモリと、を有し、
前記制御部は、前記カウントが所定値に達した場合に、前記当接部材と前記像担持体の表面との間に前記第二トナー量の前記トナーを供給する前記第二トナー供給動作を実行するように制御することを特徴とする請求項１乃至１５のいずれか１項に記載の画像形成装置。
【請求項１７】
前記像担持体の表面に形成された前記トナー像が転写される中間転写体を有し、
前記制御部は、前記中間転写体が前記像担持体から離間した状態で前記第二トナー供給動作を実行するように制御することを特徴とする請求項１６に記載の画像形成装置。
【請求項１８】
前記制御部は、前記第一の情報と、前記第二の情報とに基づいて前記第一トナー供給動作を制御する際には、前記中間転写体は前記像担持体に当接した状態で実行するように制御することを特徴とする請求項１７に記載の画像形成装置。
【手続補正２】
【補正対象書類名】明細書
【補正対象項目名】０００５
【補正方法】変更
【補正の内容】
【０００５】
上記目的を達成するために、本発明は、画像形成動作を実行可能な画像形成装置において、装置本体と、静電潜像が形成される回転可能な像担持体と、回転状態にある前記像担持体の表面に当接することで前記像担持体の表面からトナーを除去する当接部材と、で構成される像担持体ユニットと、前記像担持体の表面に前記トナーを供給して前記静電潜像をトナー像として現像する現像ユニットと、前記画像形成動作と、前記現像ユニットから前記像担持体の表面に前記トナーを供給し、前記当接部材と前記像担持体の表面との間に前記トナーを供給するトナー供給動作と、を実行可能に制御する制御部と、を備え、前記像担持体ユニットと前記現像ユニットのそれぞれが独立して前記装置本体に対して着脱可能であり、前記像担持体ユニットは第一メモリを有し、前記第一メモリには、前記像担持体の駆動量に応じた前記トナー供給動作において供給するトナー量に係る第一の情報が保持され、前記現像ユニットは第二メモリを有し、前記第二メモリには、前記現像ユニットの使用量に応じた前記トナー供給動作において供給する前記トナー量に係る第二の情報が保持され、前記制御部は、前記第一の情報と、前記第二の情報とに基づいて、前記トナー量を制御することを特徴とする。